(57)【要約】      （修正有）【課題】雨天でのヘルメット使用時などに、ワイパーブレード等の物体が使用者の肉眼の直前を繰り返し移動して頻繁に視界を遮ることなく雨滴を払拭でき、また、シールド全面に亘り均一かつ充分に然も払拭動作を安全走行に必要な充分速いスピードで自動的に行うヘルメット用ワイパー装置を提供する。【解決手段】耐水性透明膜からなるスクリーンをベルトコンベヤ状に左右一方向に自動的に連続移動させる手段と、互いに対向して移動する前記スクリーン間の間隔を保持し且つ前記スクリーンの裏面及び背後を雨に対して覆う手段と、前記スクリーンにより形成される視界の単数または複数端部に設けた固定型の水滴払拭手段とを含むことを特徴とするシールドワイパーをヘルメットのシールド、作業用顔面防護マスク等に用いる。【選択図】図４ａ４
2007145150.tif 000002
【特許請求の範囲】
【請求項１】
耐水性透明膜からなるスクリーン並びに当該スクリーンをベルトコンベヤ状に左右一方
向に自動的に連続移動させる手段と、
互いに対向して移動する前記スクリーン間の間隔を保持し且つ前記スクリーンの裏面及び
背後を雨に対して覆う手段と、
前記スクリーンにより形成される視界の単数または複数側端部に設けた固定型の水滴払拭
手段と、を含むことを特徴とするシールド用ワイパー。
【請求項２】
耐水性透明膜をベルトコンベヤ状につないでなるワイパースクリーンと、
当該スクリーンを駆動する左右一対のプーリーと、
当該プーリーを駆動するモーターと、
対向して移動する前記スクリーン間の間隔を保持するスペーサーを備えた上下一対の可撓
性雨覆いカバーと、
当該雨覆いカバーと一体に接合され且つ前記スクリーンとシールドとの間隔を保持する弾
力性パッキンと、
前記ワイパースクリーンの少なくとも前面側端部に接触するように固定されたワイパ−ブ
レードと、
前記雨覆いカバーに固定され且つプーリー又はプーリーと駆動モーター及び回転数調節ユ
ニットとを格納するケース部と、
当該ケース部をヘルメットのシールドに着脱自在に取り付ける手段と、
を含むことを特徴とするロール式ヘルメットシールドワイパー。
【発明の詳細な説明】
【技術分野】
【０００１】
本発明は、ヘルメットのシールドに付着する雨滴等を自動的に払拭するスクリーン巻き
取り式ワイパーに関するものである。
【背景技術】
【０００２】
モーターサイクル等の二輪車に乗車し、ヘルメットを着用して走行中に、降雨等による
水滴がシールドに付着すると視界が悪くなるため、手による払拭に替わり自動的に水滴を
払拭するワイパーが必要である。また、屋外高所で顔面保護マスクの着用を要する危険作
業中に降雨に遭遇する場合等にも、上記同様なワイパーが必要である。撥水剤をシールド
に塗布するのみでは、却って大粒の水滴を形成したり或は水滴が厚い水膜を形成して物体
の視認を歪める等の支障が生じ、実用的に不満足である。
【０００３】
従来このような必要性に対応するワイパ−が幾つか提案されている。例えば特開２００
５−２５６２５１号公報には、ヘルメット本体の前面頂部付近にワイパーモーターとワイ
パーアームの回転軸とを備え、ワイパーアームに払拭面となるシールド曲面に対応する形
状のワイパーブレードを装着し、ワイパーアームをワイパーモーターにより前記回転軸を
頂点とする扇形に相当する半円状に駆動することにより水滴を払拭する、ワイパー付きヘ
ルメットが開示されている。これは、四輪自動車の一般的なワイパーに類似した型式のも
のであり、水滴を自動的に払拭する目的に適している。
【０００４】
しかし、ヘルメットにおいては払拭面であるシールドの位置が使用者の顔面とくに目に
接近しているため、このワイパーを作動させると、目の前でワイパーブレードが左右に動
くことにより視線が遮られ、安全走行に支障となる。また、シールド曲面はデザイン上の
理由から、必ずしもワイパーブレードを回転させて生じる回転面と一致できるような曲面
に形成されていない。このため、ワイパーブレードを作動させるときに、ブレードがシー
ルド曲面に沿う動作を行うことに困難があり、必要な視界全域に亘り充分な払拭が行われ
にくいと云う欠点がある。
【０００５】
後者の欠点が改善される提案として、例えば特開２００５−２９９３２号公報には、ヘ
ルメットのシールド部に水平方向に往復運動するワイパーアームを装着し、ワイパーアー
ムにシールド曲面の垂直方向に沿う形状のワイパーブレードを取り付け、シールド上縁部
に沿ってワイパーアームを水平（左右）方向に往復運動させることにより雨滴を払拭する
ヘルメット用ワイパーが開示されている。危険作業時に用いる防護マスクの中には、溶接
作業の防護マスクに見られるようにシールドが楕円筒側面のような形状のものもあり、少
なくともこのような場合は水平に往復運動するワイパーは払拭機能に優れている。
【０００６】
しかし、二輪車による走行では瞬時に状況の目視確認と状況に対応する運転操作を行う
必要があり、不透明な物体により視界が妨害されることは一瞬たりとも避けなければなら
ない事態であるが、ワイパーブレードが往復運動することにより繰り返し視線を遮ると云
う前記問題点はこのようなワイパーでは全く改善されない。
【０００７】
また、別の提案として、直接に手指に装着して随時安全な時に手を動かして水滴を払拭
することができるワイパーも提案されている。例えば、特開２０００−５２９３３号公報
には、手指に捲回するバンドにワイパーを一体的に形成し、ワイパーブレードを収めたケ
ースを長手方向に延伸し、ケースに装着したブレードホルダーを長手方向に褶動させるこ
とによりブレードの位置を調節可能とした着脱自在なワイパー装置が開示されている。し
かし、これを用いて頻繁にシールドを払拭する際には常に二輪車の片手運転を余儀なくさ
れる。雨天時には雨滴の払拭を要する瞬間と危険な状況に対応する運転操作を要する瞬間
とが重なる確率が高く、自動的に払拭できるワイパーの提供が要望されている。
【特許文献１】特開２００５−２５６２５１号公報
【特許文献２】特開２００５−２９９３２号公報
【特許文献３】特開２０００−５２９３３号公報
【発明の開示】
【発明が解決しようとする課題】
【０００８】
本発明は、ヘルメットシールドに用いるワイパーに関して上記の諸欠点を解決しようと
するものである。すなわち、雨天でのヘルメット使用時に、ワイパーブレード等の物体が
使用者の目の直前にあるシールド表面を繰り返し移動することにより頻繁に視界を遮ると
云う支障を生じることなく雨滴を払拭でき、また、シールド全面に亘り拭きむらなく均一
に且つ厚い水膜を形成することなく充分に雨滴を払拭することにより良好な視界を確保で
き、しかも、このような払拭動作を状況に応じて安全走行可能な限りの高いスピードで自
動的に行うことができるヘルメット用ワイパー装置の提供を課題とするものである。
【課題を解決するための手段】
【０００９】
本発明は、ヘルメットのシールド表面近くにおいて透明なフィルムを左右の一方向に自
動的に連続移動させ、このフィルムが形成する視界の端部においてフィルムに接触するよ
うに固定して設けたワイパーブレードによって雨滴を払拭することを特徴とするシールド
ワイパ−装置の発明である。すなわち、第１の本発明は、
（ｉ）耐水性透明膜からなるスクリーン並びに当該スクリーンをベルトコンベヤ状に左右
一方向に自動的に連続移動させる手段と、
（ｉｉ）互いに対向して移動する前記スクリーン間の間隔を保持し且つ前記スクリーンの
裏面及び背後を雨に対して覆う手段と、
（ｉｉｉ）前記スクリーンにより形成される視界の単数または複数側端部に設けた固定型
の水滴払拭手段と、を含むことを特徴とするシールド用ワイパーの発明である。
具体的には、
（ａ）耐水性透明膜をベルトコンベヤ状につないでなるワイパースクリーンと、
（ｂ）このスクリーンを駆動する左右一対のプーリーと、
（ｃ）このプーリーを駆動するモーターと、
（ｄ）互いに対向して移動する前記スクリーン間の間隔を保持するスペーサーを備えた上
下一対の可撓性雨覆いカバーと、
（ｅ）当該雨覆いカバーと一体に接合され且つ前記スクリーンとシールドとの間隔を保持
する弾力性パッキンと、
（ｆ）前記スクリーンの少なくとも前面側端部に接触するように固定されたワイパ−ブレ
ードと、を含むことを特徴とするロール式ヘルメットシールドワイパーの発明である。
【００１０】
第１の本発明の原理的動作を図１により説明する。図１（ａ１）は、本発明に係るワイ
パースクリーン１及び１’、スクリーンを左右方向に連続移動する手段であるプーリー２
及び２’、雨覆いカバー５及び５’、これにそれぞれ一体的に接合されたスペーサー３及
び３’の基本的形状と相互関係を示すため、湾曲線Ａ−Ａ’に沿って断面を展開した縦断
面図である。この図中での点線は、雨覆いカバーの側面端部、ワイパースクリーン及びス
ペーサーの位置関係に関して、理解を容易にするために記載したものである。
【００１１】
図１（ｂ１）は、本発明に係るワイパースクリーン１及び１’、プーリー２及び２’、
雨覆いカバー５の前後縁部分並びに当該カバーに一体的に接合されたスペーサー３、視界
端部に設けた固定型ワイパーブレード４、パッキン６の基本的形状と相互関係を説明する
Ｂ−Ｂ’矢視横断面図である。雨覆いカバー５は、ワイパースクリーン１の裏面及び１の
背後にある１’の表裏を雨滴から覆う部材であり、シールドの曲面に沿うように湾曲した
形状に製作するが、可撓性であることにより、取り付ける際に褶曲を起こさない範囲で個
々のシールドに沿うように湾曲を調整することが可能である。パッキン６及び図示されな
い６’は弾力性があり、ヘルメットのシールドと雨覆いカバー５及び図示されない５’の
側面部との隙間を埋めて雨水の進入を防止する。ワイパースクリーン１及び１’は、張力
により図に見るようにシールド側に引き寄せられるので、雨覆いカバー５及び図示されな
い５’のシールド寄り側面のスクリーン１’側表面とスペーサー３及び図示されない３’
のスクリーン１側表面には、それぞれ図に見るように摩擦を緩和する手段、例えば図示し
たような突起２０を設けるのが好ましい。
【００１２】
図１（ｃ１）は、本発明に係るワイパースクリーン１及び１’、プーリー２、雨覆いカ
バー５及び５’並びにそれぞれ当該カバーに一体的に接合されたスペーサー３及び３’、
ワイパーブレード４、パッキン６及び６’の基本的形状と相互関係を示すＣ−Ｃ’矢視縦
断面図である。なお、スクリーンを左右一方向に自動的に連続移動する手段であるプーリ
ー駆動用モーター及び回転数調節ユニットは、プーリーに回転力を伝動できる配置であれ
ば特に制限はないので、図示を省略した。ヘルメットのシールドに本発明に係るワイパー
装置を取り付ける方法についても、接着剤或はビス（雄ネジ）等による固定的取り付けや
着脱自在な取り付け具による取り付け等が可能であり、特に制限はないので図示を省略し
た。因みに、ヘルメットとシールドは取り外し可能であるので、第１の本発明に係るワイ
パー装置を固定的取り付けした雨天専用シールドと取り付けしない晴天用シールド両方を
用意することも可能である。
【００１３】
第２の本発明は、上記第１発明の構成部品に加えてこれ等を相互に固定し且つヘルメッ
トのシールドへの脱着を容易にするためのケース部、及びケース部をシールドに固着する
ための吸盤を含むことを特徴とするワイパー装置の発明である。すなわち、第２発明は、
（ａ）耐水性透明膜をベルトコンベヤ状につないでなるワイパースクリーンと、
（ｂ）当該スクリーンを駆動する左右一対のプーリーと、
（ｃ）当該プーリーを駆動するモーターと、
（ｄ）互いに対向して移動する前記スクリーン間の間隔を保持するスペーサーを備えた上
下一対の可撓性雨覆いカバーと、
（ｅ）当該雨覆いカバーと一体に接合され且つ前記スクリーンとシールドとの間隔を保持
する弾力性パッキンと、
（ｆ）前記スクリーンの少なくとも前面側端部に接触するように固定されたワイパ−ブレ
ードと、
（ｇ）前記雨覆いカバーに固定され且つプーリー又はプーリーと駆動モーター及び回転数
調節ユニットとを格納するケース部と、
（ｈ）当該ケース部をヘルメットのシールドに脱着自在に取り付ける手段と、
を含むことを特徴とするロール式ヘルメットシールドワイパーの発明である。
【発明の効果】
【００１４】
ヘルメットのシールド表面を扇形半円状に或は水平方向に往復運動する従来のワイパー
ブレードに替えて、左右一方向に連続移動する耐水性透明スクリーンを用い、視界の側端
部に固定したワイパーブレードによりスクリーン表面に付着した雨滴を払拭すると云う斬
新な方法を採用したことにより、ブレードの運動が視線を繰返し遮る支障を無くし、且つ
扇形半円の外側等の水滴取り残しが無いように視界の全面に亘り雨滴を払拭でき、しかも
シールドは曲面であるにも係らず平面からなるスクリーン表面を払拭するので拭きむら等
の精粗が無いように均一に払拭するこができる。
【００１５】
円筒形のプーリーを回転数調節ユニットを介してモーターにより駆動してスクリーンを
一定方向に移動させつつ固定ワイパーにより雨滴を払拭する方法を採用したことにより、
降雨の強弱あるいは走行速度の高低に対応して常にスクリーン表面の雨滴を適切に払拭す
ることができるため、安全走行に必要な視界を雨天時にも良好に保つことができる。
【００１６】
雨覆いカバー５及び５’を具備したことによりスクリーン１と１’の間への雨滴の進入
を防止し、ワイパーブレードにより払拭することができないスクリーン裏面や背後への水
滴付着のおそれを断つことができる。しかも雨覆いカバー５及び５’の材質は可撓性であ
るため、雨覆いカバーを図１（ｂ１）に示したようにシールドの曲面に沿うように標準の
湾曲を有する規格品として製作した場合、シールドへの装着の際に可撓性を利用して湾曲
の程度を個々のヘルメットシールドに合わせて微調整することが可能であり、後述する弾
力性パッキン６及び６’の作用と併せて、シールドの曲面の程度に依存するオーダーメイ
ドの必要がなく汎用性を持つワイパー装置を提供することができる。
【００１７】
互いに対向して移動するスクリーン１と１’との間隔を保持するスペーサー３及び３’
を設けたことにより、雨覆いカバーが図１（ｂ１）に示したようにシールドの曲面に沿う
ようにかなり湾曲して使用された場合においても、スクリーン相互の接触を防ぐことが可
能となり、透明フィルムからなるスクリーンどうしが相互の摩擦により透明性を損なう可
能性を大幅に低減できる。
【００１８】
雨覆いカバー５及び５’にそれぞれ一体に接合された弾力性パッキン６及び６’を用い
たことにより、本発明に係るワイパー装置をシールドに密着させてスクリーン１’とシー
ルドの間への雨水進入を防止することができ、また、スクリーン１’とシールドとの間隔
を充分に保持できるので両者が摩擦を起こすおそれを断つことができる。特に、本発明に
係るワイパー装置をヘルメットに取り付ける際に、図１（ｂ１）に示した通り、シールド
の曲面に沿うように雨覆いカバーの湾曲の程度を補ってパッキン自身が相当程度に変形す
ることにより、シールド表面に密着することができる。
【００１９】
第２の本発明において、プーリー単独又はプーリー並びに回転速度調整ユニット付き駆
動モーターを格納するケース部７及び７’を雨覆いカバー５及び５’に一体的に固定して
設けたことにより、構成部品の組立を確実に固定することができ、ヘルメットとは独立の
商品価値を持つワイパー装置を提供することができる。また、各ケース部それぞれに着脱
自在な取り付け手段、例えば吸盤８及び８’を設けたことにより、ヘルメットのシールド
への本発明に係るワイパー装置の雨天時装着と晴天時取り外しが容易になり、不意の降雨
に対しても着脱自在に用いることが可能である。
【発明を実施するための最良の形態】
【００２０】
本発明の実施において、第１の本発明に係るワイパー装置を図１（ｃ１）に示したよう
に予めヘルメットのシールドに固定的に取り付けたものを用いても良い。しかし、天候に
応じて着脱自在に用いるワイパー装置が便利であるので、図２に沿って第２本発明につい
て最良の実施形態を説明する。
【００２１】
図２（ａ２）は、第２の本発明に係るスクリーン１（雨に濡れる表側、ここでは図示さ
れていない）及び１’（シールドに対面する内側）、一対のプーリー２及び２’、ワイパ
ーブレード４、雨覆いカバー５及び５’とそれぞれに一体的に接合されたスペーサー３及
び３’、プーリー２又は２’と回転数調節ユニット付き駆動モーター９をそれぞれ格納す
るケース部７及び７’、各ケース部をシールドに脱着自在に固定する吸盤８及び８’の基
本的形状と相互の組立関係を示すＡ−Ａ’矢視縦断面図である。
【００２２】
一対のプーリー２及び２’のいずれか一方の回転軸をプーリー駆動モーター９に直接又
は回転数調節ユニットを介して接続し、ケース部７又は７’の内部に格納する。好ましく
は下部に格納する。ここで云う回転数調節ユニットは、在来型の歯車機構等を用いた減速
機であり、これを用いる場合は、レバー等によりギアチエンジしてプーリーの回転数を数
段階に変速する。また、駆動モーターを直結する場合の回転数調節は、モーターへ供給す
る電流を制御して行う。モーターの電源としては小型電池を他方のケース部に格納、或は
ポケットに収納して使用するか又は二輪車のバッテリーを用いる。
【００２３】
ワイパースクリーンの材料として透明度の高いプラスチックフィルムを用いるが、プー
リーによる駆動に適切なフィルム厚みにおいて走行時の風圧によるフィルムの波打ちや振
動が起りにくい程度の剛性を有するもの、例えばポリエチレンテレフタレート、ポリブチ
レンテレフタレート等を用いることが好ましい。
【００２４】
モーターの動力により回転するプーリー（図２（ａ２）ではプーリー２）でスクリーン
を駆動し、他方のプーリー（同図ではプーリー２’）がスクリーンの移動に従動して回転
する際に、プーリー表面とスクリーンとの摩擦力が不足する場合、必要に応じてプーリー
に写真機におけるフィルム巻き取りロールのような歯車状突起を設けると共にスクリーン
の上端又は下端に対応する窄孔列を設けることが好ましい。
【００２５】
スクリーン１を払拭するワイパーブレード４は、駆動側プーリー２に対面するように視
界の側端に固定して取り付ける。固定方法は本発明の本質に関係しないが、例えばケース
部７に溝を設けて差し込むように取り付け、ワイパーブレードが砂塵などにより汚れた場
合に、取り外して清掃できるようにする。なお、スクリーンの移動方向は左右何れでも良
いが、この図では交通規則が左側走行の場合に歩道側の視界を可及的に広くするため、モ
ーター等の格納部分を有するケース部７をヘルメット使用者の右手側に配置し、スクリー
ンがヘルメット使用者の左手側から右手側へ移動するように図示した。なお、ワイパーブ
レードは１本に限られず、必要に応じてスクリーン１’を払拭できる位置にも設けるなど
複数個具備してもよい。
【００２６】
スクリーンの上方及び下方に設ける雨覆いカバー５及び５’は、雨滴遮断と云う役割の
他に構造材としてプーリー２及び２’の回転軸の位置を固定し、スクリーンに与えられた
張力に充分耐え得る構造的強度を有することが求められる。従って、雨覆いカバーに長手
方向に関して一定の圧縮強度を与えるような或る程度の厚みが必要である。ヘルメットの
シールドのように曲面で構成されるシールドのほかに溶接の顔面保護マスク等のように平
面で構成されるシールドも存在するが、本発明のワイパー装置は夫々に対応する両タイプ
を提供できる。図２では平面状シールドに取り付ける型のワイパー装置を例示したが、図
１に例示したようにシールドの曲面に沿って取り付ける型のワイパー装置の場合は、予め
雨覆いカバーはシールドの曲面に合わせて湾曲した形に製作する。湾曲の程度が異なるシ
ールドに実際に取り付ける際に、雨覆いカバーを厚み方向と直角の方向に或る程度曲げて
調整することとなり、褶曲を生じないためには用いる材料に可撓性と共に或る程度の伸縮
性が必要である。但し、これは設計事項に属するので詳細説明は省略する。
【００２７】
互いに対向して左右に移動するスクリーン１及び１’が接触して摩擦することを防ぐた
めに、スクリーン１及び１’の間に適切な間隔が保持されるようにスペーサー３及び３’
を雨覆いカバーと一体的に接合して設ける。これにより、前記可撓性を有する雨覆いカバ
ーの長手方向に関する圧縮強度が補強される。なお、図２（ａ２）中での点線は、雨覆い
カバーの側面端部、スクリーン及びスペーサーの位置関係、並びに雨覆いカバーとケース
部との接合関係に関して、理解を容易にするために記載した。
【００２８】
フルフェース型ヘルメットのようにシールドが曲面を形成するものに第２本発明に係る
ワイパー装置を取り付ける場合、図１（ｂ１）に示したと同様にシールドに沿うかなりの
湾曲が必要となり、スクリーン１とスペーサーの上下端部との接触が避けられない。この
場合において、接触による摩擦を極力軽減するため、スペーサー３及び３’の材料として
表面摩擦係数の低いもの、例えばポリプロピレン等を用いるのが好ましい。雨覆いカバー
５及び５’とスクリーン１’との摩擦についても同様な配慮が好ましい。前記第１発明の
説明で述べたような突起２０、或はスクリーンと雨覆いカバーやスペーサーとの面接触を
軽減する線接触や点接触に変える手段を設けることも好ましい。
【００２９】
本発明に係るワイパー装置をシールドに着脱自在に取り付け得るように構成するため、
取り付けの際の外力からプーリー部分及びプーリーに接続された駆動モーターを保護する
ケース部７及び７’を雨覆いカバー５及び５’と構造的一体性を確保し得るように接合し
て設ける。また、各ケース部には取り付け手段として吸盤８及び８’を設ける。ケース部
に用いる材料は軽量且つ剛性を有するもの、例えば硬質プラスチック等が好ましい。吸盤
の取り付け位置については、吸盤８、８’が視界を遮らないように配慮する。
【００３０】
図２（ｂ２）は、第２本発明に係るワイパー装置のＢ−Ｂ’矢視横断面図である。ただ
し吸盤８及び８’の断面は、図示を簡明にするため吸盤の中心線で切断した端面を以て表
示した。この図では雨覆いカバーが平面型シールドに対応する型を例示したが、図１（ｂ
１）に例示したように曲面型シールドに対応する湾曲型雨覆いカバーの場合も本発明に包
含される。雨覆いカバー５及び５’にそれぞれ弾力性パッキン６及び６’を接着等で一体
に接合する。これにより本発明に係るワイパー装置をシールドに密着させて、スクリーン
１’とシールドの間への雨水進入を防止することができ、また、スクリーン１’とシール
ドとの間隔を充分に保持できるので両者が摩擦を起こすおそれを断つことができる。本発
明に係るワイパー装置をシールドに密着させる際に、図１（ｂ１）に示した通り、シール
ドの曲面に沿うように雨覆いカバーの湾曲の程度を補ってパッキン自身が変形するために
はパッキンの弾力性が必要であり、材料として例えばスキン付き成形した軟質発泡ウレタ
ン等が好ましい。
【００３１】
図２（ｃ２）は、第２本発明に係るワイパー装置のＣ−Ｃ’縦断面図である。スクリー
ン１及び１’の間隔はスペーサー３及び３’により保持される。また、スクリーン１’と
シールドとの間隔はパッキン６及び６’により保持される。吸盤８及び８’は、この事例
では直接それぞれケース部７及び７’の上端部及び下端部に接着剤等により接合して取り
付けている。ワイパー装置の脱着はシールドへ各吸盤を着脱することにより行う。
【００３２】
図３は、ケース部への吸盤の取り付け方法に関して別の態様を示したものである。ワイ
パー装置を脱着する度ごとに吸盤を脱着する煩わしさを避けるため、吸盤とケース部とで
セットになる取り付け具をそれぞれに固着して設け、同図のようにフック部分を上下方向
に差し込むことにより装着を行う。これにより、吸盤は常時シールドに固定して残置して
おくことができる。
【実施例１】
【００３３】
図４は、本発明に係るワイパー装置の１実施例を示し、図４（ａ４）は前記の図１（ｂ
１）と同様な水平切断位置での横断面図である。本発明に係るスクリーン１（雨に濡れる
表側）及び１’（シールドに対面する内側）、一対のプーリー２及び２’、複数のワイパ
ーブレード４、シールドの曲面に沿うような湾曲型の雨覆いカバー（前後面縁部）５及び
これと一体的に接合されたスペーサー３、雨覆いカバー５に接着などで一体的に接合され
た弾力性パッキン６、プーリー２及び２’をそれぞれ格納するケース部７及び７’、各ケ
ース部をシールドに脱着自在に固定する吸盤８及び８’、吸盤取り付け具１３、の基本的
形状と相互の組立関係が図示されている。
【００３４】
この実施例では、スクリーンとスペーサーや雨覆い後面縁部との摩擦を軽減する手段の
具体的実施例として、スペーサー３及び図示されない３’と雨覆い後面縁部５及び図示さ
れない５’において、前記の図１（ｂ１）に示された突起２０に替わる適当数のローター
２１が適当位置に設けられている。
【００３５】
図４（ｂ４）は、吸盤取り付け具１３の外観を示す斜視図である。ケース部７及び７’
の内側にそれぞれフックが設けられており、各取り付け具１３のケース側表面にこのフッ
クとセットをなすフックを設ける。吸盤は取り付け具に接合されており、この図では本発
明に係るワイパー装置をシールドに固定する際に、ケース部７及び７’を強くヘルメット
後方方向に引っ張りフックを左右方向に差し込むことで吸盤に固定できる。
【００３６】
図４（ｃ４）は、本発明に係るワイパー装置のＣ−Ｃ’矢視縦断面図である。雨覆いの
後面縁部５及び５’とスペーサー３及び３’がそれぞれスクリーン１及び１’と接触する
部分にはローター２１が設けてある。また、下側の雨覆い５’には、スクリーン１の前面
及びスクリーン１と１’との間に貯まる水を排出する水抜き孔をあけてある。
【００３７】
図４（ｄ４）は、ローター２１の一事例を示す。ロター本体の形状は、ここに図示した
回転楕円体のほかに、ソロバン玉のような回転菱形体、或は車輪のタイヤのような形があ
り得る。特に、スクリーンと接触する部分がタイヤの踏み面のような緩やかな曲面をなす
ものが好ましい。図中の取り付け蓋は、スペーサーにローターを格納する切り欠きを設け
ておき、組立の際にローターの回転軸を差し込み、軸受け兼用の蓋として被せて固定する
ために用いる部材である。
【００３８】
図５は、本発明に係るロール式ヘルメットシールドワイパーをヘルメットに装着した状
態を示す外観の側面図である。この図では駆動モーターの電源として小型電池をケース部
に内蔵している。なお、電源として二輪車のバッテリーを用いる場合には、リード線をヘ
ルメットの頂部経由で運転者の背後に通すことになる。
【産業上の利用可能性】
【００３９】
本発明に係るワイパー装置はシールドの付属部としての部品では無く、独立の商品とし
て大量生産が可能であり、二輪車の一般利用者に広く用いられるのみならず、雨天時に緊
急車両として二輪車に乗車する必要性の高い交通警察隊などに特に有用である。また、原
子力発電所事故などにおける放射線防護服やテロ対策用の化学薬品防護服、防疫用の微生
物防護服などのフェース、屋外高所での危険作業に用いる顔面防護マスク等は円筒形側面
或は平面状に形成されているので、本発明に係るワイパー装置の取り付けが簡略化でき、
これらの防護服を災害時に用いて作業する災害救助隊に特に有用である。
【図面の簡単な説明】
【００４０】
【図１ａ１ｂ１】第１の本発明を原理的に説明する図であり、        （ａ１）Ａ−Ａ’矢視縦断面図        （ｂ１）Ｂ−Ｂ’矢視横断面図
【図１ｃ１】第１の本発明を原理的に説明する図であり        （ｃ１）Ｃ−Ｃ’矢視縦断面図  である。
【図２ａ２】第２の本発明の一実施形態を説明する図であり、        （ａ２）Ａ−Ａ’矢視縦断面図
【図２ｂ２ｃ２】第２の本発明の一実施形態を説明する図であり、        （ｂ２）Ｂ−Ｂ’矢視横断面図        （ｃ２）Ｃ−Ｃ’矢視縦断面図  である。
【図３】吸盤の取り付けに関する一実施形態を説明する部分縦断面図である。
【図４ａ４】本発明に係るワイパー装置の一実施例を示す図であり、        （ａ４）装置上部横断面図
【図４ｂ４ｃ４】本発明に係るワイパー装置の一実施例を示す図であり、        （ｂ４）吸盤取り付け具を示す斜視図        （ｃ４）Ｃ−Ｃ’矢視縦断面図
【図４ｄ４】本発明に係るワイパー装置の一実施例を示す図であり        （ｄ４）ローターの取り付けを示す断面図  である。
【図５】本発明に係るワイパー装置をシールドに装着した外観の側面図である。
【符号の説明】
【００４１】
１、１’  ワイパースクリーン
２、２’  プーリー
３、３’  スペーサー
４        ワイパーブレード
５、５’  雨覆いカバー
６、６’  パッキン
７、７’  ケース部
８、８’  吸盤  
９        スクリーン駆動モーター
１０      ヘルメット本体
１１    シールド
１２    回転数調節ユニット
１３    吸盤取り付け具セット
２０  突起
２１  ローター
【図１ａ１ｂ１】
2007145150.tif 000003
【図１ｃ１】
2007145150.tif 000004
【図２ａ２】
2007145150.tif 000005
【図２ｂ２ｃ２】
2007145150.tif 000006
【図３】
2007145150.tif 000007
【図４ａ４】
2007145150.tif 000008
【図４ｂ４ｃ４】
2007145150.tif 000009
【図４ｄ４】
2007145150.tif 000010
【図５】
2007145150.tif 000011